(57)【要約】【課題】この発明は、複数回撮像しなくてもステレオカメラを校正することができ、手前の支柱により奥のマーカが隠れることがなく、個々のマーカを容易に区別することができるステレオカメラ校正器を実現することを目的とする。【解決手段】この発明は、ステレオカメラの校正に使用されるステレオカメラ校正器において、向かい合わせた２枚の鏡の間に２つ以上の実マーカを配置し、１つの実マーカに対して２枚の鏡に複数の鏡像が映ることを特徴とする。【選択図】図１
2012132702.tif 000002
【特許請求の範囲】
【請求項１】
ステレオカメラの校正に使用されるステレオカメラ校正器において、
向かい合わせた２枚の鏡の間に２つ以上の実マーカを配置し、
１つの実マーカに対して２枚の鏡に複数の鏡像が映ることを特徴とするステレオカメラ校正器。
【発明の詳細な説明】
【技術分野】
【０００１】
この発明はステレオカメラ校正器に係り、特に、三次元画像計測に使用されるステレオカメラの校正を行う際に使用されるステレオカメラ校正器に関するものである。
【背景技術】
【０００２】
三次元画像計測で使用されるステレオカメラは、個々の構成（左右カメラの距離・角度・レンズ歪み・焦点・絞りなど）において、正しく三次元画像計測値が得られるよう、校正を行う必要がある。ステレオカメラの校正は、空間上の座標と、左右カメラ画像上の座標を対応させることであり、空間上で座標が既知の模型を用意し、それを撮像することで、左右カメラ画像を得る。得られた左右カメラ画像上の座標が空間上の既知の座標と対応するように、ステレオカメラの個々の構成（左右カメラの距離・角度・レンズ歪み・焦点・絞りなど）を調整することで、ステレオカメラの校正を行う。
ステレオカメラの校正に使用されるステレオカメラ校正器には、図３に示すものがある。図３に示すステレオカメラ校正器１０１は、三次元計画像測を行う場所に複数の支柱１０２を立設し、各支柱１０２にマーカ１０３を複数固定したものである。空間上の既知の座標として複数のマーカを用いるステレオカメラ校正器には、板に丸を描いた丸形ターゲットを、棒で組み立てたラックに複数枚固定したものがある。（特許文献１）
【先行技術文献】
【特許文献】
【０００３】
【特許文献１】特開２００４−２７１２９２号公報
【発明の概要】
【発明が解決しようとする課題】
【０００４】
ステレオカメラの校正においては、空間上の座標を得る点数（マーカ）が多いほど、正しく校正できるものの、その点を支える支柱も多数となり、手前の支柱により奥のマーカが撮像できない問題が発生する（図３参照）。また、それぞれの対応点を区別する手間が増えてしまう問題がある。
一方、現在において、最も一般的なステレオカメラの校正は、平面上に座標が既知の点群を印刷した模型で行うものである。平面上であるため、マーカの隠れが発生せず、各点の対応点は位置関係で区別できる。しかしながら、平面１枚で三次元空間の校正をおこなうことは不可能であり、平面の位置や角度を変えて、複数回撮像することが必須となる。
【０００５】
この発明は、複数回撮像しなくてもステレオカメラを校正することができ、手前の支柱により奥のマーカが隠れることがなく、個々のマーカを容易に区別することができるステレオカメラ校正器を提供することを目的とする。
【課題を解決するための手段】
【０００６】
この発明は、ステレオカメラの校正に使用されるステレオカメラ校正器において、向かい合わせた２枚の鏡の間に２つ以上の実マーカを配置し、１つの実マーカに対して２枚の鏡に複数の鏡像が映ることを特徴とする。
【発明の効果】
【０００７】
従来の平面上に座標が既知の点群を印刷したステレオカメラ校正器では、平面の位置や角度を変えて、複数回撮像する必要がある。この発明のステレオカメラ校正器は、マーカを三次元空間に配置しているため、複数回撮像しなくてもステレオカメラを校正することができる。
また、従来の複数の支柱からなるステレオカメラ校正器では、手前の支柱により奥のマーカが隠れることがある。この発明のステレオカメラ校正器は、マーカを三次元空間に配置しているが、マーカが隠れることは無い。
この発明のステレオカメラ校正器は、合わせ鏡の投影回数により画像上のマーカの輝度が異なるため、個々のマーカを容易に区別することができる。
【図面の簡単な説明】
【０００８】
【図１】図１はステレオカメラ校正器の斜視図である。（実施例）
【図２】図２は２枚の鏡の間にマーカを配置したステレオカメラ校正器の画像である。（実施例）
【図３】図３は複数の支柱にマーカを複数固定したステレオカメラ校正器の画像である。（従来例）
【発明を実施するための形態】
【０００９】
以下図面に基づいて、この発明の実施例を説明する。
【実施例】
【００１０】
図１〜図２は、この発明の実施例を示すものである。図１において、１はステレオカメラで、２台の右カメラ２・左カメラ３からなる。ステレオカメラ１の校正に使用されるステレオカメラ校正器４は、図１に示すように、２枚の四角形状の鏡５・６の下側の各一辺７・８を当接させて上側の各辺９・１０側を開くことで角度θの鋭角で向かい合わせ、上方に開いた姿勢で配置する。
２枚の鏡５・６は、上側の開いた各辺９・１０の長手方向両側に支持部材１１・１２を掛け渡している。各支持部材１１・１２には、長手方向中央から２枚の鏡５・６の当接させた各一辺７・８に向かい、ワイヤなどの細い索材１３・１４を垂下している。索材１３・１４の下端には、実マーカ１５・１６をそれぞれ保持させる。
これにより、ステレオカメラ校正器１は、向かい合わせた２枚の鏡５・６の間に２つの実マーカ１５・１６を配置し、１つの実マーカに対して２枚の鏡５・６に複数の鏡像が映るようにしている。例えば、図２に示すように、実マーカ１５に対して２枚の鏡５・６に複数の鏡像１７が映るようにしている。実マーカ１５・１６の位置は、２枚の鏡５・６の間の空間上で座標既知とするために、鏡５・６の角度θと索材１３・１４の長さ、実マーカ１５・１６の大きさなどを、事前に計測しておく。
ステレオカメラ１は、ステレオカメラ校正器１の上方で２つの実マーカ１５・１６を両側から挟むように右カメラ２・左カメラ３を配置し、右カメラ２で実マーカ１５及びその複数の鏡像１７を撮像するとともに左カメラ３で実マーカ１６及びその複数の鏡像（不図示）を撮像することで、左右カメラ画像を得る。得られた左右カメラ画像上のマーカ座標が鏡５・６内の空間上の既知のマーカ座標と対応するように、ステレオカメラ１の個々の構成（右カメラ２・左カメラ３の距離・角度・レンズ歪み・焦点・絞りなど）を調整することで、ステレオカメラ１の校正を行う。
【００１１】
このように、このステレオカメラ校正器４は、２枚の鏡５・６を向かい合わせ、その間に実マーカ１５・１６を配置している。実マーカ１５・１６は、ワイヤなどの索材１３・１４で保持するが、持ち上げでなく、吊り下げるため、頑強な強度は必要なく、極細ワイヤで十分である。このため、このステレオカメラ校正器４は、実マーカ１５・１６が、図３に示す従来の複数の支柱からなるステレオカメラ校正器のように支柱などにより隠れることがない。
ステレオカメラ１からは、合わせ鏡の構造により、実マーカ１つに対して、複数のマーカ（鏡像）が撮像される（図２参照）。ステレオカメラ校正器４は、このような実マーカを複数用意する、この実施例では２つの実マーカ１５・１６を用意することで、三次元空間的に配置した模型とすることができる。図１では、２つの実マーカ１５・１６を使用しているため、図２のような実マーカ１つに対する複数のマーカ（鏡像）が、２セット撮像できる。
従来の平面上に座標が既知の点群を印刷したステレオカメラ校正器では、平面の位置や角度を変えて、複数回撮像する必要があるが、このステレオカメラ校正器４は、２以上のマーカを三次元空間に配置しているため、複数回撮像しなくてもステレオカメラ１を校正することができる。
また、このステレオカメラ校正器４は、１つの実マーカに対して、多数撮像されるマーカ（鏡像）が、幾何的に等間隔に配置された特徴的な形状をしており、合わせ鏡の投影回数で画像上の輝度が異なるため、個々のマーカを区別することが容易となる。
【００１２】
なお、上述実施例においては、各索材１３・１４にそれぞれ実マーカ１５・１６を１つ吊り下げたが、１本の索体に２つ以上の実マーカを下げても良い。また、実マーカ１５・１６は、索材１３・１４を用いずに、鏡５・６上に直接固定することもできる。さらに、２枚の鏡５・６は、角度θで合わせたが、任意の角度に変更可能とすることもできる。このように、鏡５・６の角度を変更して、ステレオカメラ１によって複数撮影することで、さらに多数のマーカを撮影することが可能となる。
【産業上の利用可能性】
【００１３】
この発明は、複数回撮像しなくてもステレオカメラを校正することができ、手前の支柱により奥のマーカが隠れることがなく、個々のマーカを容易に区別することができるステレオカメラ校正器であるが、他の応用として、画像計測における校正の１つではあって、ステレオカメラでない１つのカメラのレンズの歪み補正に応用することができる。
【符号の説明】
【００１４】
１  ステレオカメラ
２  右カメラ
３  左カメラ
４  ステレオカメラ校正器
５・６  鏡
７・８  鏡の各一辺
９・１０  各一辺７・８に対向する各辺
１１・１２  支持部材
１３・１４  索材
１５・１６  実マーカ
１７  鏡像
【図１】
2012132702.tif 000003
【図２】
2012132702.tif 000004
【図３】
2012132702.tif 000005